【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
第一Ｕ形チャネルを有し、第一骨組織内に選択的に挿入可能なサイズおよび形状を有する第一骨アンカーと、
第二Ｕ形チャネルを有し、第二骨組織内に選択的に挿入可能なサイズおよび形状を有する第二骨アンカーと、
第一ラテラルインプラントホルダおよび第一スリーブを備えた第一保持組立体とを有し、第一ラテラルインプラントホルダは第一骨アンカーを選択的に受入れるサイズおよび形状を有する遠位端を備え、第一スリーブは、遠位端と、第一組織保護部分と、第一ラテラルインプラントホルダを選択的に受入れるサイズおよび形状を有する第一通路とを備え、  第二ラテラルインプラントホルダおよび第二スリーブを備えた第二保持組立体とを有し、第二ラテラルインプラントホルダは第二骨アンカーを選択的に受入れるサイズおよび形状を有する遠位端を備え、第二スリーブは、遠位端と、第二組織保護部分と、第二ラテラルインプラントホルダを選択的に受入れるサイズおよび形状を有する第二通路とを備え、  第一組織保護部分は、第一ヘリカル形状のカットアウトを有し、第二組織保護部分は、第二ヘリカル形状のカットアウトを有し、第一ヘリカル形状のカットアウト及び第二ヘリカル形状のカットアウトは、第一組織保護部分及び第二組織保護部分を相互噛合いさせるのを可能にし、開口が形成され、ロッドがこの開口を経て第一骨アンカーの第一Ｕ形チャネル及び第二骨アンカーの第二Ｕ形チャネルにそれぞれ挿入可能となることを特徴とする固定システム。
【請求項２】
第一組織保護部分の第一ヘリカル形状のカットアウトは、第一方向のスパイラルであることを特徴とする請求項１記載の固定システム。
【請求項３】
第二組織保護部分の第二ヘリカル形状のカットアウトは、第一方向とは異なる第二方向のスパイラルであることを特徴とする請求項２記載の固定システム。
【請求項４】
第一ヘリカル形状のカットアウトは、第一方向に延び、第二ヘリカル形状のカットアウトは、第一方向とは異なる方向に延びていることを特徴とする請求項１記載の固定システム。
【請求項５】
第一および第二ラテラルインプラントホルダの各遠位端は、１つの骨アンカーを選択的に受入れる受入れ組立体を有していることを特徴とする請求項１記載の固定システム。
【請求項６】
受入れ組立体は選択的に変位可能な複数のアームを備え、受入れ組立体は、骨アンカーが受入れ組立体に挿入されまたは取出される第一位置と、骨アンカーが受入れ組立体により保持される第二位置とを有することを特徴とする請求項５記載の固定システム。
【請求項７】
第二位置では、スリーブの遠位端が、それぞれのラテラルインプラントホルダの遠位端の近くに配置され、骨アンカーをラテラルインプラントホルダに固定することを特徴とする請求項６記載の固定システム。
【請求項８】
ラテラルインプラントホルダに対してスリーブを選択的に移動させる機構を更に有していることを特徴とする請求項７記載の固定システム。
【請求項９】
第一ラテラルインプラントホルダの遠位端が面取り部分を有していることを特徴とする請求項１記載の固定システム。
【請求項１０】
１つの保持組立体に関連して作動するように構成されかつ配置された保持スリーブを更に有することを特徴とする請求項１記載の固定システム。
【請求項１１】
保持スリーブはハンドルおよび細長部材を有していることを特徴とする請求項１０記載の固定システム。
【請求項１２】
細長部材は、骨アンカーがラテラルインプラントホルダおよびスリーブの少なくとも一方に対してピボット運動できないように骨アンカーに選択的に接触すべく構成されかつ配置された遠位端を有していることを特徴とする請求項１１記載の固定システム。
【請求項１３】
細長部材の遠位端は選択的に変位可能な複数のアームを有し、該アームは互いに変位可能であることを特徴とする請求項１２記載の固定システム。
【請求項１４】
細長部材は貫通通路を有し、該通路は駆動機構を受入れるサイズおよび形状を有していることを特徴とする請求項１２記載の固定システム。
【請求項１５】
駆動機構は、骨アンカーを骨組織内にねじ込むべく骨アンカーと係合するように構成されかつ配置されていることを特徴とする請求項１４記載の固定システム。
【請求項１６】
ローディングステーションを更に有し、該ローディングステーションはベースおよびスライディングプラットホームを備え、該スライディングプラットホームは、ラテラルインプラントホルダおよびスリーブの少なくとも一方と係合するように構成されかつ配置されていることを特徴とする請求項１記載の固定システム。
【請求項１７】
ロッドホルダを更に有し、該ロッドホルダが、細長本体と、該細長本体内に収容されたシャフトと、ロッドを選択的に保持するように構成されかつ配置された保持組立体とを備え、シャフトは、ロッドが保持される第一位置と、ロッドが解放される第二位置との間で変位できることを特徴とする請求項１記載の固定システム。
【請求項１８】
保持組立体は変位可能なバーを有し、シャフトは、該シャフトが第一位置にあるときにバーがロッドに接触するようにバーをロッドの方向に押すことを特徴とする請求項１７記載の固定システム。
【請求項１９】
ロッドホルダはハンドルを更に有し、該ハンドルは第一位置と第二位置との間でシャフトを移動させるように構成されかつ配置されていることを特徴とする請求項１７記載の固定システム。
【請求項２０】
ロッドホルダはハンドルを更に有し、該ハンドルは、シャフトに取付けられた第一部材および細長本体に取付けられた第二部材を備え、第二部材に対して第一部材を変位させると、シャフトが第一位置と第二位置との間で選択的に移動することを特徴とする請求項１７記載の固定システム。
【請求項２１】
保持組立体がスロットを有し、ロッドが、スロットにより受入れられるように構成されかつ配置された一端部を有していることを特徴とする請求項１７記載の固定システム。
【請求項２２】
ロッドが突出部を有し、保持組立体が前記突出部を受入れる孔を有していることを特徴とする請求項１８記載の固定システム。
【請求項２３】
関節部分に関連して作動する細長本体からなるロッドホルダを更に有し、関節部分は細長本体に対してピボット運動できるように連結されかつロッドと係合するように構成されかつ配置されていることを特徴とする請求項１記載の固定システム。
【請求項２４】
ロッドホルダの細長本体は、外側細長部材と、該外側細長部材に対して移動可能な内側細長部材とを有していることを特徴とする請求項２３記載の固定システム。
【請求項２５】
関節部材は外側細長部材に対して選択的にピボット運動でき、内側細長部材は関節部分の表面と係合して、外側細長部材に対する関節部分のピボット運動を防止することを特徴とする請求項２４記載の固定システム。
【請求項２６】
押圧部材が、内側細長部材と外側細長部材との間に配置されかつ内側細長部材が関節部分から離れる方向に押圧されるように両細長部材に関連して作動することを特徴とする請求項２４記載の固定システム。
【請求項２７】
関節部分は係合具を有し、該係合具はロッドの凹部と選択的に係合する突出部を備え、関節部分は更に、突出部を凹部内に維持する押圧部材を有していることを特徴とする請求項２３記載の固定システム。
【請求項２８】
ロッドホルダは更に、突出部を凹部から出るように移動させるシャフトを有し、関節部分は、該関節部分が細長本体に対して実質的に垂直になるときにシャフトが通って移動する通路を有していることを特徴とする請求項２７記載の固定システム。
【請求項２９】
第二骨アンカーに対して第一骨アンカーを移動させる移動機構を更に有することを特徴とする請求項１記載の固定システム。
【請求項３０】
移動機構は、第一骨アンカーと接触する第一部材と、第二骨アンカーと接触する第二部材と、第一部材から延びているバーとを有し、第二部材はバーに対して変位可能であり。バーに対して第二部材が変位すると、第二部材が第一部材に対して変位することを特徴とする請求項２９記載の固定システム。
【請求項３１】
移動機構は更に、バーに沿って移動するように構成されかつ配置されたアクチュエーション機構を有し、該アクチュエーション機構は、第二部材およびバーに関連して作動して、アクチュエーション機構がバーに沿って移動するときに第二部材を移動させることを特徴とする請求項３０記載の固定システム。
【請求項３２】
アクチュエーション機構は更に、ロッキング機構を有していることを特徴とする請求項３１記載の固定システム。
【請求項３３】
バーは歯を有しかつアクチュエーション機構はノブおよびギヤを有し、ノブが回転すると歯に沿ってギヤを移動させるようにノブがギヤに接触しかつギヤが歯に接触することを特徴とする請求項３１記載の固定システム。
【請求項３４】
第二部材は、アクチュエーション機構を第一部材に向かって移動させると第一および第二骨アンカーを離れる方向に移動させかつアクチュエーション機構を第一部材から離れる方向に移動させると第一および第二骨アンカーを一緒に移動させるように形成されていることを特徴とする請求項３１記載の固定システム。
【請求項３５】
第二部材はシーソー形状でありかつ第一部材にピボット連結されていることを特徴とする請求項３０記載の固定システム。
【請求項３６】
第一部材は、１つの機器を受入れるサイズおよび形状をもつ貫通孔を有していることを特徴とする請求項３０記載の固定システム。
【請求項３７】
移動機構は、第二部材に関連して作動する第三部材を更に有し、第二および第三部材は、第一部材に向かう第三部材の移動により、第二部材の遠位端が第一部材に向かって移動されるように構成されかつ配置されていることを特徴とする請求項３０記載の固定システム。
【請求項３８】
第二および第三部材は第一部材にピボット連結されていることを特徴とする請求項３７記載の固定システム。
【請求項３９】
バーは、第一および第二部材の方向を互いに固定するロッキング機構を有していることを特徴とする請求項３０記載の固定システム。
【請求項４０】
第一Ｕ形チャネルを有し、第一骨内に挿入されるサイズおよび形状を有する第一骨アンカーを有し、
第二Ｕ形チャネルを有し、第二骨内に挿入されるサイズおよび形状を有する第二骨アンカーを有し、
第一スリーブを備えた第一保持組立体を有し、この第一スリーブは、遠位端および長手方向軸線を備える共に、第一スリーブの長手方向軸線の回りで部分的に延びている第二組織保護部分を備え、
第二スリーブを備えた第二保持組立体を有し、この第二スリーブは、遠位端および長手方向軸線を備える共に、第二スリーブの長手方向軸線の回りで部分的に延びている第二組織保護部分を備え、
第一組織保護部分は、第一ヘリカル形状のカットアウトを有し、第二組織保護部分は、第二ヘリカル形状のカットアウトを有し、第一ヘリカル形状のカットアウト及び第二ヘリカル形状のカットアウトは、第一組織保護部分及び第二組織保護部分を相互噛合いさせるのを可能にし、開口が形成され、ロッドがこの開口を経て第一骨アンカーの第一Ｕ形チャネル及び第二骨アンカーの第二Ｕ形チャネルにそれぞれ挿入可能となることを特徴とする最小侵襲性固定システム。
【請求項４１】
第一ヘリカル形状のカットアウトは第一方向に延びており、第二ヘリカル形状のカットアウトは第一方向とは反対の第二方向に延びていることを特徴とする請求項４０記載の最小侵襲性固定システム。